(57)【特許請求の範囲】
【請求項１】
アンテナのモジュール化の実現方法であって、
アンテナの部品を区分し、区分された部品を採用してアンテナモジュールを組み合わせ、且つ前記アンテナモジュールのタイプを設定することを含み、
前記アンテナの部品を区分することは、
アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ジャンパ、およびコンバイナーに区分することを含み、
前記アンテナの部品を区分する前、前記方法は、アンテナにおけるアクティブコネクタとパッシブコネクタをそれぞれ標準化することを更に含み、
前記区分された部品を採用してアンテナモジュールを組み合わせることは、前記アンテナエレメント群をアクティブコネクタ群に接続することと、前記位相シフトネットワークのブランチインタフェースをパッシブコネクタ群に接続し、且つ前記位相シフトネットワークのコンバインインタフェースをアンテナフィーダーインタフェースに接続して、前記アンテナフィーダーインタフェースを介して位相シフトネットワークを外部ソース機器に接続することと、前記電気同調ユニットを位相シフトネットワークに接続して、前記電気同調インタフェースを介して電気同調ユニットを外部制御機器に接続することとを含む、
方法。
【請求項２】
前記アンテナモジュールのタイプは、アクティブアンテナモジュール、パッシブアンテナモジュール、及びアクティブ・パッシブ混合アンテナモジュールを含み、
前記アンテナモジュールのタイプを設定することは、アクティブコネクタ群と送受信装置アレイを接続することで、前記アンテナモジュールのタイプをアクティブアンテナモジュールに設定することと、パッシブコネクタ群とアクティブコネクタ群を接続することで、前記アンテナモジュールのタイプをパッシブアンテナモジュールに設定することと、コンバイナーの第一ブランチポートと送受信装置アレイを接続し、コンバイナーの第二ブランチポートとパッシブコネクタ群を接続し、コンバイナーのコンバインポートとアクティブコネクタ群を接続することで、前記アンテナモジュールのタイプをアクティブ・パッシブ混合アンテナモジュールに設定することとを含む
請求項１に記載の方法。
【請求項３】
前記アンテナが複数の周波数バンドをサポートしている場合、前記方法は、前記アンテナを二つ以上のシングル周波数バンドのアンテナモジュールに区分し、且つ複数のシングル周波数バンドのアンテナモジュールを論理的に組み合わせることを更に含む
請求項１又は２に記載の方法。
【請求項４】
前記複数のシングル周波数バンドのアンテナモジュールを論理的に組み合わせることは、各シングル周波数バンドのアンテナモジュールのタイプをそれぞれに設定し、実際のネットワーキングの要求に応じて、複数のシングル周波数バンドのアンテナモジュールを論理的にいろいろ組み合わせることを含む
請求項３に記載の方法。
【請求項５】
アンテナのモジュール化の実現装置であって、
アンテナの部品を区分するように構成される区分モジュールと、
区分された部品を採用してアンテナモジュールを組み合わせるように構成される生成モジュールと、
前記アンテナモジュールのタイプを設定するように構成される設定モジュールとを備え、
前記区分モジュールは、前記アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ジャンパ、およびコンバイナーに区分するように構成され、
前記装置は、アンテナにおけるアクティブコネクタとパッシブコネクタをそれぞれ標準化するように構成される標準化モジュールを更に備え、
前記生成モジュールは、前記アンテナエレメント群をアクティブコネクタ群に接続し、前記位相シフトネットワークのブランチインタフェースをパッシブコネクタ群に接続し且つ前記位相シフトネットワークのコンバインインタフェースをアンテナフィーダーインタフェースに接続して、前記アンテナフィーダーインタフェースを介して位相シフトネットワークを外部ソース機器に接続し、前記電気同調ユニットを位相シフトネットワークに接続して、前記電気同調インタフェースを介して電気同調ユニットを外部制御機器に接続するように構成される、
装置。
【請求項６】
前記アンテナモジュールのタイプは、アクティブアンテナモジュール、パッシブアンテナモジュール、及びアクティブ・パッシブ混合アンテナモジュールを含み、
前記設定モジュールは、アクティブコネクタ群と送受信装置アレイを接続することで、前記アンテナモジュールのタイプをアクティブアンテナモジュールに設定し、パッシブコネクタ群とアクティブコネクタ群を接続することで、前記アンテナモジュールのタイプをパッシブアンテナモジュールに設定し、コンバイナーの第一ブランチポートと送受信装置アレイを接続し、コンバイナーの第二ブランチポートとパッシブコネクタ群を接続し、コンバイナーのコンバインポートとアクティブコネクタ群を接続することで、前記アンテナモジュールのタイプをアクティブ・パッシブ混合アンテナモジュールに設定するように構成される
請求項５に記載の装置。
【請求項７】
前記アンテナが複数の周波数バンドをサポートしている場合、前記装置は、前記アンテナを二つ以上のシングル周波数バンドのアンテナモジュールに区分し、且つ複数のシングル周波数バンドのアンテナモジュールを論理的に組み合わせるように構成される組合せモジュールを更に備える
請求項５又は６に記載の装置。
【請求項８】
前記組合せモジュールは、各シングル周波数バンドのアンテナモジュールのタイプをそれぞれに設定し、実際のネットワーキングの要求に応じて、複数のシングル周波数バンドのアンテナモジュールを論理的にいろいろ組み合わせるように構成される
請求項７に記載の装置。
【請求項９】
アンテナモジュールであって、
前記アンテナモジュールは、アンテナエレメント群と、位相シフトネットワークと、パッシブコネクタ群と、アクティブコネクタ群と、電気同調ユニットと、アンテナフィーダーインタフェースと、電気同調インタフェースと、無線周波数ジャンパと、コンバイナーとを備え、
前記パッシブコネクタ群と前記アクティブコネクタ群の内のパッシブコネクタとアクティブコネクタのそれぞれは、標準化したパッシブコネクタとアクティブコネクタであり、
前記アンテナエレメント群をアクティブコネクタ群に接続し、前記位相シフトネットワークのブランチインタフェースをパッシブコネクタ群に接続し、前記位相シフトネットワークのコンバインインタフェースをアンテナフィーダーインタフェースに接続して、前記位相シフトネットワークが前記アンテナフィーダーインタフェースを介して外部ソース機器に接続し、前記電気同調ユニットを位相シフトネットワークに接続し、前記電気同調ユニットが前記電気同調インタフェースを介して外部制御機器に接続する、アンテナモジュール。
【請求項１０】
前記アンテナモジュールはアクティブアンテナモジュールであり、前記アクティブコネクタ群が送受信装置アレイと接続し、
前記アンテナモジュールはパッシブアンテナモジュールであり、前記パッシブコネクタ群がアクティブコネクタ群と接続し、
前記アンテナモジュールはアクティブ・パッシブ混合アンテナモジュールであり、コンバイナーの第一ブランチポートが送受信装置アレイと接続し、コンバイナーの第二ブランチポートがパッシブコネクタ群と接続し、コンバイナーのコンバインポートがアクティブコネクタ群と接続する
請求項９に記載のアンテナモジュール。
【請求項１１】
前記アンテナモジュールは二つ以上のシングル周波数バンドのアンテナモジュールを備える
請求項１０に記載のアンテナモジュール。
【発明の詳細な説明】
【技術分野】
【０００１】
本発明は通信分野のアンテナ技術に関し、特にアンテナのモジュール化の実現方法及び装置、アンテナモジュールに関する。
【背景技術】
【０００２】
従来の無線ネットワークは、一般的に、信号を送信或いは受信するための機器であるソース部と従来のパッシブアンテナユニットであるアンテナフィーダー部に分けることができ、ソース部とアンテナフィーダー部は、標準インタフェースを介して無線周波数ケーブルを用いて接続されている。
【０００３】
移動通信網の多様化とブロードバンド化の発展に伴い、ユーザにとって実際の応用により柔軟にネットワークを配置する必要がある。しかしながら、柔軟にネットワークを配置する過程中、以下の要求が存在する。
【０００４】
（１）同一のアンテナ面上に多種モードのネットワークが統合される要求
従来技術は主にコンバイナー及び無線周波数ケーブルを介して複数の異なるモードのソース部と複数の異なる周波数バンドのアンテナ部を接続することで、多種モードのアンテナの配置を実現し、これにより下記の問題がある。
【０００５】
●  基地局を建てる空間、面積について要求があり、基地局を建てるコストが高いこと、
●  将来、ネットワークをプラン、アップグレード或いは拡大するとき、難易度が高いこと、
●  ネットワークを管理及びメンテナンスするとき、ネットワークが中断される可能性があること、および
●  将来のブロードバンド化、マルチバンド化の発展の傾向を満足させないこと。
【０００６】
（２）同一のアンテナ面上に各モードに対してアクティブ部とパッシブ部を柔軟に配置できる要求
現在、アクティブアンテナシステム（Ａｃｔｉｖｅ  Ａｎｔｅｎｎａ  Ｓｙｓｔｅｍ）は複数チャネルの送受信装置と基地局アンテナを集積する基地局通信システムであり、そのアンテナ部と複数チャネルの送受信装置のインタフェースは内部インタフェースであり、これにより下記の問題がある。
【０００７】
●  アクティブ部とパッシブ部が互いに柔軟に配置されておらず、両者の間は緊密な結合の関係であり、動作モードは固定されること、
●  アクティブ部とパッシブ部の間の組合せ方式が制限を受けること、
●  アクティブ部とパッシブ部の間はアンテナ部品を共有できない或いはアンテナ部品の共有に制限を受けること、
●  ネットワークが作成したあと、アクティブ部が提供する動作周波数バンドとユーザの容量は固定され、将来、ネットワークをプラン、アップグレード或いは拡大するとき、難易度が高いこと、および
●  ネットワークを管理及びメンテナンスするとき、ネットワークが中断される可能性があること。
【発明の概要】
【発明が解決しようとする課題】
【０００８】
これを鑑みて、本発明の実施形態は、アンテナのモジュール化の実現方法及び装置、アンテナモジュールを提供して、アンテナのモジュール化が実現でき、パッシブアンテナがブロードバンド／マルチバンドへの統合、アクティブアンテナがマルチモード／ブロードバンド／小型化への進化の要求を更に満足させる。
【課題を解決するための手段】
【０００９】
本発明の実施形態に係る技術方案は下記のように実現される。
【００１０】
本発明の実施形態はアンテナのモジュール化の実現方法を提供し、前記方法は、
アンテナの部品を区分し、区分された部品を採用してアンテナモジュールを組み合わせ、且つ前記アンテナモジュールのタイプを設定することを含む。
【００１１】
上述の方案において、前記アンテナの部品を区分することは、アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ジャンパ、およびコンバイナーに区分することを含み、
前記アンテナの部品を区分する前、前記方法は、アンテナにおけるアクティブコネクタとパッシブコネクタをそれぞれ標準化することを更に含む。
【００１２】
上述の方案において、前記区分された部品を採用してアンテナモジュールを組み合わせることは、前記アンテナエレメント群をアクティブコネクタ群に接続することと、前記位相シフトネットワークのブランチインタフェースをパッシブコネクタ群に接続し、且つ前記位相シフトネットワークのコンバインインタフェースをアンテナフィーダーインタフェースに接続して、前記アンテナフィーダーインタフェースを介して位相シフトネットワークを外部ソース機器に接続することと、前記電気同調ユニットを位相シフトネットワークに接続して、前記電気同調インタフェースを介して電気同調ユニットを外部制御機器に接続することとを含む。
【００１３】
上述の方案において、前記アンテナモジュールのタイプは、アクティブアンテナモジュール、パッシブアンテナモジュール、及びアクティブ・パッシブ混合アンテナモジュールを含み、
前記アンテナモジュールのタイプを設定することは、アクティブコネクタ群と送受信装置アレイを接続することで、前記アンテナモジュールのタイプをアクティブアンテナモジュールに設定することと、パッシブコネクタ群とアクティブコネクタ群を接続することで、前記アンテナモジュールのタイプをパッシブアンテナモジュールに設定することと、コンバイナーの第一ブランチポートと送受信装置アレイを接続し、コンバイナーの第二ブランチポートとパッシブコネクタ群を接続し、コンバイナーのコンバインポートとアクティブコネクタ群を接続することで、前記アンテナモジュールのタイプをアクティブ・パッシブ混合アンテナモジュールに設定することとを含む。
【００１４】
上述の方案において、前記アンテナが複数の周波数バンドをサポートしている場合、前記方法は、前記アンテナを二つ以上のシングル周波数バンドのアンテナモジュールに区分し、且つ複数のシングル周波数バンドのアンテナモジュールを論理的に組み合わせることを更に含む。
【００１５】
上述の方案において、前記複数のシングル周波数バンドのアンテナモジュールを論理的に組み合わせることは、各シングル周波数バンドのアンテナモジュールのタイプをそれぞれに設定し、実際のネットワーキングの要求に応じて、複数のシングル周波数バンドのアンテナモジュールを論理的にいろいろ組み合わせることを含む。
【００１６】
本発明はアンテナのモジュール化の実現装置を提供し、前記装置は、
アンテナの部品を区分するように構成される区分モジュールと、
区分された部品を採用してアンテナモジュールを組み合わせるように構成される生成モジュールと、
前記アンテナモジュールのタイプを設定するように構成される設定モジュールとを備える。
【００１７】
上述の方案において、前記区分モジュールは、前記アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ジャンパ、およびコンバイナーに区分するように構成され、
前記装置は、アンテナにおけるアクティブコネクタとパッシブコネクタをそれぞれ標準化するように構成される標準化モジュールを更に備える。
【００１８】
上述の方案において、前記生成モジュールは、前記アンテナエレメント群をアクティブコネクタ群に接続し、前記位相シフトネットワークのブランチインタフェースをパッシブコネクタ群に接続し且つ前記位相シフトネットワークのコンバインインタフェースをアンテナフィーダーインタフェースに接続して、前記アンテナフィーダーインタフェースを介して位相シフトネットワークを外部ソース機器に接続し、前記電気同調ユニットを位相シフトネットワークに接続して、前記電気同調インタフェースを介して電気同調ユニットを外部制御機器に接続するように構成される。
【００１９】
上述の方案において、前記アンテナモジュールのタイプは、アクティブアンテナモジュール、パッシブアンテナモジュール、及びアクティブ・パッシブ混合アンテナモジュールを含み、
前記設定モジュールは、アクティブコネクタ群と送受信装置アレイを接続することで、前記アンテナモジュールのタイプをアクティブアンテナモジュールに設定し、パッシブコネクタ群とアクティブコネクタ群を接続することで、前記アンテナモジュールのタイプをパッシブアンテナモジュールに設定し、コンバイナーの第一ブランチポートと送受信装置アレイを接続し、コンバイナーの第二ブランチポートとパッシブコネクタ群を接続し、コンバイナーのコンバインポートとアクティブコネクタ群を接続することで、前記アンテナモジュールのタイプをアクティブ・パッシブ混合アンテナモジュールに設定するように構成される。
【００２０】
上述の方案において、前記アンテナが複数の周波数バンドをサポートしている場合、前記装置は、前記アンテナを二つ以上のシングル周波数バンドのアンテナモジュールに区分し、且つ複数のシングル周波数バンドのアンテナモジュールを論理的に組み合わせるように構成される組合せモジュールを更に備える。
【００２１】
上述の方案において、前記組合せモジュールは、各シングル周波数バンドのアンテナモジュールのタイプをそれぞれに設定し、実際のネットワーキングの要求に応じて、複数のシングル周波数バンドのアンテナモジュールを論理的にいろいろ組み合わせるように構成される。
【００２２】
前記区分モジュール、前記生成モジュール、前記設定モジュール、前記標準化モジュール、前記組合せモジュールが処理を実行するとき、中央処理装置（ＣＰＵ：Ｃｅｎｔｒａｌ  Ｐｒｏｃｅｓｓｉｎｇ  Ｕｎｉｔ）、デジタルシグナルプロセッサ（ＤＳＰ：Ｄｉｇｉｔａｌ  Ｓｉｎｇｎａｌ  Ｐｒｏｃｅｓｓｏｒ）或いはフィールドプログラマブルゲートアレイ（ＦＰＧＡ：Ｆｉｅｌｄ−Ｐｒｏｇｒａｍｍａｂｌｅ  Ｇａｔｅ  Ａｒｒａｙ）によって実現されてよい。
【００２３】
本発明の実施形態はアンテナモジュールを更に提供し、前記アンテナモジュールは、アンテナエレメント群と、位相シフトネットワークと、パッシブコネクタ群と、アクティブコネクタ群と、電気同調ユニットと、アンテナフィーダーインタフェースと、電気同調インタフェースと、無線周波数ジャンパと、コンバイナーとを備え、
前記アンテナエレメント群をアクティブコネクタ群に接続し、前記位相シフトネットワークのブランチインタフェースをパッシブコネクタ群に接続し、前記位相シフトネットワークのコンバインインタフェースをアンテナフィーダーインタフェースに接続して、前記位相シフトネットワークが前記アンテナフィーダーインタフェースを介して外部ソース機器に接続し、前記電気同調ユニットを位相シフトネットワークに接続し、前記電気同調ユニットが前記電気同調インタフェースを介して外部制御機器に接続する。
【００２４】
上述の方案において、前記アンテナモジュールはアクティブアンテナモジュールであり、アクティブコネクタ群が送受信装置アレイと接続し、前記アンテナモジュールはパッシブアンテナモジュールであり、前記パッシブコネクタ群がアクティブコネクタ群と接続し、前記アンテナモジュールはアクティブ・パッシブ混合アンテナモジュールであり、コンバイナーの第一ブランチポートが送受信装置アレイと接続し、コンバイナーの第二ブランチポートがパッシブコネクタ群と接続し、コンバイナーのコンバインポートがアクティブコネクタ群と接続する。
【００２５】
上述の方案において、前記アンテナモジュールは二つ以上のシングル周波数バンドのアンテナモジュールを備える。
【００２６】
本発明の実施形態が提供するアンテナのモジュール化の実現方法及び装置、アンテナモジュールによれば、アンテナの部品を区分し、区分された部品を採用してアンテナモジュールを組み合わせ、且つ前記アンテナモジュールのタイプを設定することによって、アンテナモジュールの設定可能を実現でき、ユーザが実際の応用の要求に応じてアンテナモジュールのタイプをアクティブアンテナモジュール、パッシブアンテナモジュール、或いはアクティブ・パッシブ混合アンテナモジュールに設定する。このように、アンテナのモジュール化を実現し、アンテナのモジュール化は、アクティブアンテナモジュールとパッシブアンテナモジュールをデカップリングさせるので、両者が各自の発展の方向にそれぞれ進化するようにする。従って、ネットワークのプラン、アップグレード或いは拡大に関する要求を満足できる。
【００２７】
なお、本発明の実施形態において、アンテナが複数の周波数バンドをサポートしている場合、実際のネットワーキングの要求に応じて、複数のシングル周波数バンドのアンテナモジュールを論理的にいろいろ組み合わせることもできる。そのように、アンテナが「ネットワークアンテナ」の形式を表し、これによって、異なる周波数バンドのアンテナが柔軟にネットワークを配置する要求を満足させ、それに、ネットワークのディレイアリングへの発展傾向に適応する。
【図面の簡単な説明】
【００２８】
【図１】本発明におけるアンテナのモジュール化の実現方法に関する実施形態の実現フローチャートである。
【図２】本発明の実施形態に係るシングル周波数バンド８ユニット単一偏波アンテナの部品の接続模式図である。
【図３】本発明の実施形態に係る３周波数バンド８ユニット二重偏波アンテナの標準化模式図である。
【図４ａ】本発明の実施形態に係るシングル周波数バンド８ユニット単一偏波アンテナをアクティブアンテナモジュールに設定した模式図である。
【図４ｂ】本発明の実施形態に係るシングル周波数バンド８ユニット単一偏波アンテナをパッシブアンテナモジュールに設定した模式図である。
【図４ｃ】本発明の実施形態に係るシングル周波数バンド８ユニット単一偏波アンテナをアクティブ・パッシブ混合アンテナモジュールに設定した模式図である。
【図５】本発明の実施形態に係る３周波数バンド８ユニット二重偏波アンテナの構造模式図である。
【図６ａ】本発明の実施形態に係るシングル周波数バンド８ユニット二重偏波アンテナをアクティブアンテナモジュールに設定した模式図である。
【図６ｂ】本発明の実施形態に係るシングル周波数バンド８ユニット二重偏波アンテナをパッシブアンテナモジュールに設定した模式図である。
【図６ｃ】本発明の実施形態に係るシングル周波数バンド８ユニット二重偏波アンテナをアクティブ・パッシブ混合アンテナモジュールに設定した模式図である。
【図７】本発明の実施形態に係る３周波数バンド８ユニット二重偏波アンテナのモジュール化模式図である。
【図８】本発明に係るアンテナモジュール化の実現装置の実施形態の構造模式図である。
【図９】本発明の実施形態に係るアンテナモジュールの構造模式図である。
【発明を実施するための形態】
【００２９】
本発明の実施形態において、まず、アンテナにおけるアクティブコネクタとパッシブコネクタをそれぞれ標準化し、そして、アンテナの各部品の機能により、アンテナの各部品を区分し、それから、区分された部品を採用してアンテナモジュールを組み合わせ、且つ実際の応用の要求に応じて、アンテナモジュールのタイプを設定する。
【００３０】
更に、前記アンテナが複数の周波数バンドをサポートしている場合、周波数バンドにより前記アンテナを二つ以上のシングル周波数バンドのアンテナモジュールに区分し、かつ各シングル周波数バンドのアンテナモジュールのタイプをそれぞれに設定し、実際のネットワーキングの要求に応じて、複数のシングル周波数バンドのアンテナモジュールを論理的に組み合わせる。
【００３１】
ここで、アンテナにおけるアクティブコネクタとパッシブコネクタをそれぞれ標準化することは、材料、構造、サイズ、工程、電気性能などの国際／国家／業界の統一規格を制定することであり、或いは、製品のタイプにより統一規格を制定して、アンテナ構造に係るアクティブコネクタとパッシブコネクタの数と配置を決定することである。
【００３２】
本発明の実施形態において、アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ケーブル、およびコンバイナーに区分する。
【００３３】
ここで、前記アンテナモジュールのタイプは、アクティブアンテナモジュール、パッシブアンテナモジュール、アクティブ・パッシブ混合アンテナモジュールを含む。異なるモジュールを接続することで異なるタイプのアンテナモジュールを組み合わせ、即ち、必要なアンテナモジュールのタイプにより、必要な各部品、及び各部品間の接続方式を確定できる。
【００３４】
具体的に、実際の応用において、アンテナモジュールがアクティブアンテナモジュールである必要がある場合、アクティブコネクタ群と送受信装置アレイを接続することで、前記アンテナモジュールのタイプをアクティブアンテナモジュールに設定することができる。必要なアンテナモジュールがパッシブアンテナモジュールである必要がある場合、パッシブコネクタ群とアクティブコネクタ群を接続することで、前記アンテナモジュールのタイプをパッシブアンテナモジュールに設定することができる。必要なアンテナモジュールがアクティブ・パッシブ混合アンテナモジュールである必要がある場合、コンバイナーの第一ブランチポートと送受信装置アレイを接続し、コンバイナーの第二ブランチポートとパッシブコネクタ群を接続し、コンバイナーのコンバインポートとアクティブコネクタ群を接続することで、前記アンテナモジュールのタイプをアクティブ・パッシブ混合アンテナモジュールに設定することができる。
【００３５】
更に、前記アンテナが複数の周波数バンドをサポートしている場合、アンテナの各部品の数量、サイズ、及び接続関係により、前記アンテナを二つ以上のシングル周波数バンドのアンテナモジュールに区分し、且つ実際の応用の要求に応じて、前記各シングル周波数バンドのアンテナモジュールのタイプをそれぞれに設定し、多重、内部ネスティング、縦スタッキングモードによって、実際のネットワーキングの要求に応じて、複数のシングル周波数バンドのアンテナモジュールを論理的に組み合わせる。
【００３６】
以下、図面及び具体的な実施形態を参照して本発明に対して更に詳しく説明する。
【００３７】
本発明の実施形態はアンテナのモジュール化の実現方法を提供し、図１に示すように、図１は本発明におけるアンテナのモジュール化の実現方法に関する実施形態の実現フローチャートであり、前記方法は以下のステップを含む。
【００３８】
ステップ１０１において、アンテナの部品を区分し、区分された部品を採用してアンテナモジュールを組み合わせる。
【００３９】
シングル周波数バンド８ユニット単一偏波アンテナを例として、図２は本発明の実施形態のシングル周波数バンド８ユニット単一偏波アンテナモジュールの接続模式図であり、図２、図４ａ〜４ｃに示すように、アンテナの各部品の機能により、アンテナの部品をアンテナエレメント群２０１、位相シフトネットワーク２０２、パッシブコネクタ群２０３、アクティブコネクタ群２０４、電気同調ユニット２０５、アンテナフィーダーインタフェース２０６、電気同調インタフェース２０７、無線周波数ジャンパ２０８、およびコンバイナー２０９に区分する。
【００４０】
前記アンテナエレメント群２０１は一組の電磁波をガイド及び増幅した金属導体であり、前記アンテナエレメント群２０１は共振回路を構成し、電磁信号を受信又は送信するために用いられる。前記アンテナエレメントのサイズは受信又は送信された電磁信号の波長と関連され、一般的に、前記アンテナエレメントのサイズは受信又は送信された電磁信号の波長の約二分の一である。
【００４１】
前記位相シフトネットワーク２０２は一組の電気長さの調節可能な伝送路網であり、前記位相シフトネットワーク２０２を介して信号の位相シフトに対して連続に調整できることで、電磁波ビームの下方傾斜角度の変更を制御する。
【００４２】
具体的に、前記位相シフトネットワーク２０２は異なる制御状態に応じて位相シフトネットワークの伝送特性を変更でき、伝送特性の変更は出力信号が参考信号に対して位相シフト差が生成され、実際の応用において、一般的に、機械制御又は電気制御の方式により前記位相シフトネットワーク２０２の各チャネルの伝送路の長さ又は誘電定数を変更し、前記伝送路の長さ又は誘電定数を調整することで前記位相シフトネットワーク２０２の各チャネルの伝送特性を変更でき、伝送特性の変更は各チャネルで伝送される信号が一定の位相シフト関係を呈するようにする。多数の場合、異なる周波数の信号に対して、同一の物理長さを有する伝送路は異なる位相シフト関係を呈する。
【００４３】
前記パッシブコネクタ群２０３とアクティブコネクタ群２０４はいずれも一組の無線周波数信号の入力／出力ポートであり、構造的に、前記パッシブコネクタ群２０３とアクティブコネクタ群２０４は一般的にアンテナのバックブボード上に位置し、且つ前記パッシブコネクタ群２０３またはアクティブコネクタ群２０４に対応している各周波数バンドのポート数はアンテナ技術の発展レベル及びネットワークの要求に依存する。
【００４４】
前記電気同調ユニット２０５は標準通信プロトコル（例えば、ＡＩＳＧプロトコル）により通信することで、位相シフトネットワーク２０２を制御することを実現し、最終的に電磁波ビームの下方傾斜角度を調節する目的を達成する。前記電気同調ユニット２０５はアクティブ電気同調ユニットとパッシブ電気同調ユニットに分ける。前記アクティブ電気同調ユニットは自動制御システムにより外部命令に応答でき、且つ内部のモータにより位相シフトネットワーク２０２の伝送状態を変更する。前記パッシブ電気同調ユニットは外力機械を利用して、且つ内部の機械連動装置により位相シフトネットワーク２０２の伝送状態を変更することで、電磁波ビームの下方傾斜角度を調節する目的を達成する。
【００４５】
前記アンテナフィーダーインタフェース２０６の一端が位相シフトネットワーク２０２のコンバインインタフェースに接続し、他端が外部ソース機器に接続する。ここで、前記外部ソース機器は主に信号を送信又は受信するために用いられ、前記外部ソース機器は、現在無線ネットワークにおける送受信装置、基地局、リピーター、タワートップアンプなどを含むが、それらに限られない。
【００４６】
前記電気同調インタフェース２０７の一端が電気同調ユニット２０５に接続し、他端が外部制御機器に接続する。ここで、前記外部制御機器はリモートコントロールユニット（ＲＣＵ：Ｒｅｍｏｔｅ  Ｃｏｎｔｒｏｌ  Ｕｎｉｔ）であり、前記ＲＣＵの一端が前記電気同調インタフェース２０７に接続されてよく、他端が基地局のＡＩＳＧコントロールインタフェース又はポータブルコントロールユニット（ＰＣＵ：Ｐｏｒｔａｂｌｅ  Ｃｏｎｔｒｏｌ  Ｕｎｉｔ）に接続されてよい。
【００４７】
前記無線周波数ジャンパ２０８は一組の無線周波数ケーブル又はコネクタであり、主に各部品を接続し、或いは前記アンテナを短絡させるために用いられる。
【００４８】
前記コンバイナー２０９は信号をコンビネーションし或いはパワー分割する機器であり、前記コンバイナー２０９は２つのブランチポート（第一ブランチポートと第二ブランチポート）と、１つのコンバインポートを備える。ここで、第一ブランチポートが送受信装置アレイの出力／入力端に接続し、第二ブランチポートがパッシブコネクタ群２０３に接続し、前記コンバインポートがアクティブコネクタ群２０４に接続する。前記コンバイナーはマイクロストリッププリント回路板或いはキャビティーフィルタの形を採用して実現されることができる。
【００４９】
本ステップにおいて、前記アンテナの部品を区分する前、前記方法は、アンテナにおけるアクティブコネクタとパッシブコネクタをそれぞれ標準化することを含む。
【００５０】
具体的に、前記アンテナの外部インタフェースは主に、アクティブコネクタ、パッシブコネクタ、アンテナフィーダーインタフェース、および電気同調インタフェースの四種類のインタフェースを呈する。異なる応用シーンに適用されるアンテナに対応しているこの四種類のインタフェースにおいて、数量と配置だけが違うので、この四種類のインタフェースを標準化できる。
【００５１】
現在、アンテナフィーダーインタフェースと電気同調インタフェースの標準化が実現された。例えば、基地局アンテナのアンテナフィーダーインタフェースが７／１６  ＤＩＮ−Ｆｅｍａｌｅコネクタを採用し、電気同調インタフェースが標準ＡＩＳＧインタフェースを採用する。従って、アンテナのアクティブコネクタとパッシブコネクタをそれぞれ標準化する必要がある。アクティブコネクタとパッシブコネクタを標準化することは、異なるメーカーの設備に対する相互交換性試験および相互運用性試験（ＩＯＴ：Ｉｎｔｅｒｏｐｅｒａｂｉｌｉｔｙ  Ｔｅｓｔ）を保証する。同時に、元のサービスを中断しない条件で、アクティブ／パッシブアンテナモジュールに対してアップグレード及びメンテナンスできる。
【００５２】
３周波数バンド８ユニット二重偏波アンテナを例として、図３は本発明の実施形態に係る３周波数バンド８ユニット二重偏波アンテナの標準模式図であり、図３に示すように、前記３つの周波数バンドは、８００ＭＨｚ−９００ＭＨｚであり、１．８ＧＨｚ−２．１ＧＨｚであり、２．６ＧＨｚである。なお、前記８００ＭＨｚ−９００ＭＨｚ、１．８ＧＨｚ−２．１ＧＨｚ、２．６ＧＨｚは異なる周波数バンドだけを区別するために用いられ、本発明を制限しない。
【００５３】
前記アンテナにおけるアクティブコネクタとパッシブコネクタをそれぞれ標準化することは、材料、構造、サイズ、工程、電気性能などの国際／国家／業界の統一規格を制定することであり、或いは、製品のタイプにより統一規格を制定して、アンテナ構造において、アクティブコネクタとパッシブコネクタの数と配置を決定することである。更に、アンテナの他のインタフェースを標準化することは、外形、材料、体積、重量、数量、接続方式、コネクタを標準化することである。
【００５４】
本ステップにおいて、前記区分された部品を採用してアンテナモジュールを組み合わせることは、まず前記アンテナエレメント群２０１と位相シフトネットワーク２０２の間のインタフェースを物理的に切り離すこと、その後、アンテナエレメント群２０１をアクティブコネクタ群２０４に接続すること、位相シフトネットワーク２０２のブランチインタフェースをパッシブコネクタ群２０３に接続し、且つ前記位相シフトネットワークのコンバインインタフェースをアンテナフィーダーインタフェース２０６に接続して、アンテナフィーダーインタフェース２０６を介して位相シフトネットワーク２０２を外部ソース機器に接続すること、および電気同調ユニット２０５を位相シフトネットワーク２０２に接続して、電気同調インタフェース２０７を介して電気同調ユニット２０５を外部制御機器に接続することを含む。
【００５５】
ステップ１０２において、前記アンテナモジュールのタイプを設定する。
【００５６】
前記アンテナモジュールのタイプは、アクティブアンテナモジュール、パッシブアンテナモジュール、アクティブ・パッシブ混合アンテナモジュールを含む。
【００５７】
実際に応用するとき、異なるタイプのアンテナモジュールを必要とする場合、異なるアンテナモジュールを接続することで異なるタイプのアンテナモジュールを組み合わせる。
【００５８】
本ステップにおいて、必要なアンテナモジュールがアクティブアンテナモジュールである場合、前記アンテナモジュールのタイプをアクティブアンテナモジュールに設定する。
【００５９】
具体的に、図４ａは本発明の実施形態に係るシングル周波数バンド８ユニット単一偏波アンテナをアクティブアンテナモジュールに設定する模式図であり、図４ａに示すように、必要なアンテナモジュールがアクティブアンテナモジュールである場合、アクティブコネクタ群２０４（＃１−＃８）のインタフェースを送受信装置アレイ（＃１−＃８）のインタフェースに順次に接続し、このとき、パッシブコネクタ群２０３（＃１−＃８）はオフ状態にある。このように、前記アンテナモジュールのタイプをアクティブアンテナモジュールに設定する。
【００６０】
必要なアンテナモジュールがパッシブアンテナモジュールである場合、前記アンテナモジュールのタイプをパッシブアンテナモジュールに設定する。
【００６１】
具体的に、図４ｂは本発明の実施形態に係るシングル周波数バンド８ユニット単一偏波アンテナをパッシブアンテナモジュールに設定する模式図であり、図４ｂに示すように、必要なアンテナモジュールがパッシブアンテナモジュールである場合、パッシブコネクタ群２０３（＃１−＃８）のインタフェースをアクティブコネクタ群２０４（＃１−＃８）のインタフェースに順次に接続し、このとき、アンテナエレメント群２０１と位相シフトネットワーク２０２の間はオン状態にある。このように、前記アンテナモジュールのタイプをパッシブアンテナモジュールに設定する。アクティブコネクタ群とパッシブコネクタ群の間は無線周波数ジャンパ２０８により接続される。
【００６２】
必要なアンテナモジュールがアクティブ・パッシブ混合アンテナモジュールである場合、前記アンテナモジュールのタイプをアクティブ・パッシブ混合アンテナモジュールに設定する。
【００６３】
具体的に、図４ｃは本発明の実施形態に係るシングル周波数バンド８ユニット単一偏波アンテナをアクティブ・パッシブ混合アンテナモジュールに設定する模式図であり、図４ｃに示すように、必要なアンテナモジュールがアクティブ・パッシブ混合アンテナモジュールである場合、コンバイナー２０９の第一ブランチポートを送受信装置アレイに接続し、コンバイナー２０９の第二ブランチポートをパッシブコネクタ群２０３に接続し、これによって、アンテナフィーダーインタフェース２０７から位相シフトネットワーク２０２を経由して伝送された外部ソース機器の信号と前記コンバイナー２０９の第一ブランチポートからの送受信装置アレイの信号をコンバインすることができる。その後、コンバイナー２０９のコンバインポートをアクティブコネクタ群２０４に接続して、コンバインされた信号をアンテナエレメント群２０１に伝送できる。一般的に、コンバインされた２つの経路の信号は周波数で互いに分離する。前記２つの経路の信号において、一つの経路の信号はアンテナフィーダーインタフェース２０７に接続された外部ソース機器から送信され、もう一つの経路の信号は前記コンバイナー２０９の第一ブランチポートに接続された送受信装置アレイから送信され、このように、前記アンテナモジュールのタイプをアクティブ・パッシブ混合アンテナモジュールに設定する。
【００６４】
更に、前記アンテナが複数の周波数バンドをサポートしている場合、図１に示すような方法は、前記アンテナを二つ以上のシングル周波数バンドのアンテナモジュールに区分し、且つ複数のシングル周波数バンドのアンテナモジュールを論理的に組み合わせることを含む。
【００６５】
具体的に、前記アンテナが複数の周波数バンドをサポートしている場合、アンテナの各部品の数量、サイズ、及び接続関係により、周波数バンドに応じて、前記アンテナを二つ以上のシングル周波数バンドのアンテナモジュールに区分し、且つ実際の応用の要求に応じて、前記各シングル周波数バンドのアンテナモジュールのタイプをそれぞれに設定し、多重、内部ネスティング、縦スタッキングモードによって、実際のネットワーキングの要求に応じて、複数のシングル周波数バンドのアンテナモジュールを論理的にいろいろ組み合わせる。
【００６６】
３周波数バンド８ユニット二重偏波アンテナを例として、図５は本発明の実施形態に係る３周波数バンド８ユニット二重偏波アンテナの構造模式図であり、図５、図６ａ〜６ｃに示すように、前記アンテナはｆ１（８００ＭＨｚ−９００ＭＨｚ）、ｆ２（１．８ＧＨｚ−２．１ＧＨｚ）、ｆ３（２．６ＧＨｚ）という３つの周波数バンドをサポートし、類似的に、アンテナの各部品の機能により、アンテナの部品をアンテナエレメント群５０１、位相シフトネットワーク５０２、パッシブコネクタ群５０３、アクティブコネクタ群５０４、電気同調ユニット５０５、アンテナフィーダーインタフェース５０６、電気同調インタフェース５０７、無線周波数ジャンパ５０８、およびコンバイナー５０９に区分する。ここで、前記各部品の構造と機能は図２に示すような各部品の構造と機能と類似する。なお、前記ｆ１（８００ＭＨｚ−９００ＭＨｚ）、ｆ２（１．８ＧＨｚ−２．１ＧＨｚ）、ｆ３（２．６ＧＨｚ）は異なる周波数バンドだけを区別するために用いられ、本発明を制限しない。
【００６７】
具体的に、アンテナの各部品の数量、サイズ及び接続関係により、周波数バンドに応じて前記アンテナをアンテナモジュールＡ、アンテナモジュールＢ、アンテナモジュールＣに区分し、ここで、前記アンテナモジュールＡが８００ＭＨｚ−９００ＭＨｚの周波数バンドをサポートし、前記アンテナモジュールＢが１．８ＧＨｚ−２．１ＧＨｚの周波数バンドをサポートし、前記アンテナモジュールＣが２．６ＧＨｚの周波数バンドをサポートする。前記アンテナの正面のアンテナエレメント群５０１は前記３つの周波数バンドに応じて３つの配列を分割し、前記アンテナの背面にはパッシブコネクタ群５０３とアクティブコネクタ群５０４があり、前記アンテナの内部には位相シフトネットワーク５０２と電気同調ユニット５０５があり、前記アンテナの下端にはアンテナフィーダーインタフェース５０６と電気同調インタフェース５０７がある。
【００６８】
前記アンテナモジュールＡ、アンテナモジュールＢ、およびアンテナモジュールＣは、実際の要求に応じてアクティブアンテナモジュール、パッシブアンテナモジュール、およびアクティブ・パッシブ混合アンテナモジュールに設定されることができる。なお、前記アンテナモジュールＡ、アンテナモジュールＢ、アンテナモジュールＣは異なるアンテナモジュールだけを区別するために用いられ、本発明を制限しない。
【００６９】
アンテナモジュールＡを例として、前記アンテナモジュールＡをアクティブアンテナモジュール、パッシブアンテナモジュール、およびアクティブ・パッシブ混合アンテナモジュールに設定する過程にたいして以下のように説明する。
【００７０】
図６ａは本発明の実施形態に係るシングル周波数バンド８ユニット二重偏波アンテナをアクティブアンテナモジュールに設定する模式図であり、図４ａに示すようなシングル周波数バンド８ユニット単一偏波アンテナをアクティブアンテナモジュールに設定する過程と類似し、アクティブコネクタ群５０４（＃１−＃８）のインタフェースを送受信装置アレイ（＃１−＃８）のインタフェースに順次に接続し、このとき、パッシブコネクタ群５０３（＃１−＃８）はオフ状態にある。このように、前記アンテナモジュールＡのタイプをアクティブアンテナモジュールに設定する。
【００７１】
図６ｂは本発明の実施形態に係るシングル周波数バンド８ユニット二重偏波アンテナをパッシブアンテナモジュールに設定する模式図であり、図４ｂに示すようなシングル周波数バンド８ユニット単一偏波アンテナをパッシブアンテナモジュールに設定する過程と類似し、パッシブコネクタ群５０３（＃１−＃８）のインタフェースをアクティブコネクタ群５０４（＃１−＃８）のインタフェースに順次に接続し、このとき、前記アンテナエレメント群５０１と位相シフトネットワーク５０２の間はオン状態にある。このように、前記アンテナモジュールＡのタイプをパッシブアンテナモジュールに設定する。ここで、アクティブコネクタ群とパッシブコネクタ群の間は無線周波数ジャンパ５０８により接続される。
【００７２】
図６ｃは本発明の実施形態に係るシングル周波数バンド８ユニット二重偏波アンテナをアクティブ・パッシブ混合アンテナモジュールに設定する模式図であり、図４ｃに示すようなシングル周波数バンド８ユニット単一偏波アンテナをアクティブ・パッシブ混合アンテナモジュールに設定する過程と類似し、コンバイナー５０９の第一ブランチポートを送受信装置アレイに接続し、コンバイナー５０９の第二ブランチポートをパッシブコネクタ群５０３に接続し、これによって、アンテナフィーダーインタフェース５０７から位相シフトネットワーク５０２を経由して伝送された外部ソース機器の信号と前記コンバイナー５０９の第一ブランチポートからの送受信装置アレイの信号をコンバインすることができる。その後、コンバイナー５０９のコンバインポートをアクティブコネクタ群５０４に接続して、コンバインされた信号をアンテナエレメント群５０１に伝送できる。一般的に、コンバインされた２つの経路の信号は周波数で互いに分離する。前記２つの経路の信号において、一つの経路の信号はアンテナフィーダーインタフェース５０７に接続された外部ソース機器から送信され、もう一つの経路の信号は前記コンバイナー５０９の第一ブランチポートに接続された送受信装置アレイから送信され、このように、前記アンテナモジュールＡのタイプをアクティブ・パッシブ混合アンテナモジュールに設定する。
【００７３】
ここで、アンテナモジュールＢ、アンテナモジュールＣをアクティブアンテナモジュール、パッシブアンテナモジュール、またはアクティブ・パッシブ混合アンテナモジュールにそれぞれ設定する過程は、上述のアンテナモジュールＡを設定する過程と類似するので、ここでは詳細な説明を省略する。
【００７４】
ここで、アンテナモジュールＡ、アンテナモジュールＢ、アンテナモジュールＣのタイプを設定したあと、多重、内部ネスティング、縦スタッキングモードにより、実際のネットワーキングの要求に応じて、アンテナモジュールＡ、及び／又はアンテナモジュールＢ、及び／又はアンテナモジュールＣを論理的にいろいろ組み合わせる。アンテナモジュールＡ、アンテナモジュールＢ、およびアンテナモジュールＣがそれぞれ異なる周波数バンドをサポートするので、アンテナモジュールＡ、アンテナモジュールＢ、およびアンテナモジュールＣを論理的にいろいろ組み合わせることで、前記アンテナがモジュール化されると同時に、複数の周波数バンドをカバーすることができる。
【００７５】
図７は本発明の実施形態に係る３周波数バンド８ユニット二重偏波アンテナのモジュール模式図であり、前記３つの周波数バンドはそれぞれ図５に示すようなｆ１、ｆ２、ｆ３の３つの周波数バンドである。アンテナが異なる周波数バンドをサポートしているとき、アンテナの各部品の数量とサイズは異なる。従って、１つのアンテナが異なる周波数バンドのアンテナモジュールから構成し、アンテナ内部に集積されたアンテナモジュールの数はアンテナ技術の発展レベルに依存する。アンテナに集積されたアンテナモジュールが多ければ多いほど、対応的に、アンテナに設定可能なアクティブアンテナモジュール、パッシブアンテナモジュール、アクティブ・パッシブ混合アンテナモジュールの数も多いので、前記アンテナがサポートしている周波数バンドも多い。
【００７６】
本発明の実施形態はアンテナのモジュール化の実現装置を提供し、図８は本発明実施例に係るアンテナモジュール化の実現装置の実施形態の構造模式図であり、図８に示すように、前記装置は、区分モジュール８２と、生成モジュール８３と、設定モジュール８４とを備える。
【００７７】
前記区分モジュール８２は、アンテナの部品を区分するように構成され、
具体的に、前記区分モジュール８２は、前記アンテナの各部品の機能により、アンテナの部品をアンテナエレメント群、位相シフトネットワーク、パッシブコネクタ群、アクティブコネクタ群、電気同調ユニット、アンテナフィーダーインタフェース、電気同調インタフェース、無線周波数ジャンパ、およびコンバイナーに区分する。
【００７８】
更に、前記装置は標準化モジュール８１を更に備え、前記標準化モジュール８１は、アンテナにおけるアクティブコネクタとパッシブコネクタをそれぞれ標準化するように構成される。
【００７９】
前記生成モジュール８３は、区分された部品を採用してアンテナモジュールを組み合わせるように構成され、
具体的に、前記生成モジュール８３は、前記アンテナエレメント群をアクティブコネクタ群に接続し、前記位相シフトネットワークのブランチインタフェースをパッシブコネクタ群に接続し、且つ前記位相シフトネットワークのコンバインインタフェースをアンテナフィーダーインタフェースに接続し、前記アンテナフィーダーインタフェースを介して位相シフトネットワークを外部ソース機器に接続し、前記電気同調ユニットを位相シフトネットワークに接続し、前記電気同調インタフェースを介して電気同調ユニットを外部制御機器に接続するように構成される。
【００８０】
前記設定モジュール８４は、前記アンテナモジュールのタイプを設定するように構成され、
前記アンテナモジュールのタイプは、アクティブアンテナモジュール、パッシブアンテナモジュール、アクティブ・パッシブ混合アンテナモジュールを含む。
【００８１】
具体的に、前記設定モジュール８４は、アクティブコネクタ群と送受信装置アレイを接続することで、前記アンテナモジュールのタイプをアクティブアンテナモジュールに設定し、パッシブコネクタ群とアクティブコネクタ群を接続することで、前記アンテナモジュールのタイプをパッシブアンテナモジュールに設定し、コンバイナーの第一ブランチポートと送受信装置アレイを接続して、コンバイナーの第二ブランチポートとパッシブコネクタ群を接続して、コンバイナーのコンバインポートとアクティブコネクタ群を接続することで、前記アンテナモジュールのタイプをアクティブ・パッシブ混合アンテナモジュールに設定するように構成される。
【００８２】
更に、前記アンテナが複数の周波数バンドをサポートしている場合、前記装置は組合せモジュール８５を更に備え、前記組合せモジュール８５は、前記アンテナを二つ以上のシングル周波数バンドのアンテナモジュールに区分し、且つ複数のシングル周波数バンドのアンテナモジュールを論理的に組み合わせるように構成される。
【００８３】
具体的に、前記組合せモジュール８５は、各シングル周波数バンドのアンテナモジュールのタイプをそれぞれに設定し、実際のネットワーキングの要求に応じて、複数のシングル周波数バンドのアンテナモジュールを論理的にいろいろ組み合わせるように構成される。
【００８４】
本発明の実施形態はアンテナモジュールを提供し、図９は本発明の実施形態に係るアンテナモジュールの構造模式図であり、図９に示すように、前記アンテナモジュールは、アンテナエレメント群９１と、位相シフトネットワーク９２と、パッシブコネクタ群９３と、アクティブコネクタ群９４と、電気同調ユニット９５と、アンテナフィーダーインタフェース９６と、電気同調インタフェース９７と、無線周波数ジャンパ９８と、コンバイナー９９とを備える。
【００８５】
ここで、前記アンテナエレメント群９１をアクティブコネクタ群９４に接続し、前記位相シフトネットワーク９２のブランチインタフェースをパッシブコネクタ群９３に接続し、前記位相シフトネットワーク９２のコンバインインタフェースをアンテナフィーダーインタフェース９６に接続して、前記位相シフトネットワークが前記アンテナフィーダーインタフェース９６を介して外部ソース機器に接続し、前記電気同調ユニット９５を位相シフトネットワーク９２に接続し、前記電気同調ユニット９５が前記電気同調インタフェース９７を介して外部制御機器に接続する。
【００８６】
更に、前記アンテナモジュールはアクティブアンテナモジュールであり、アクティブコネクタ群９４と送受信装置アレイは接続し、
前記アンテナモジュールはパッシブアンテナモジュールであり、前記パッシブコネクタ群９３は無線周波数ジャンパ９８を介してアクティブコネクタ群９４に接続し、
前記アンテナモジュールはアクティブ・パッシブ混合アンテナモジュールであり、コンバイナー９９の第一ブランチポートが送受信装置アレイと接続し、コンバイナー９９の第二ブランチポートがパッシブコネクタ群９３と接続し、コンバイナー９９のコンバインポートがアクティブコネクタ群９４と接続する。
【００８７】
前記アンテナモジュールは二つ以上のシングル周波数バンドのアンテナモジュールを備える。
【００８８】
本発明の実施形態に説明されたアンテナのモジュール化の実現方法がソフトウエア機能モジュールにより実現され且つ独立の製品として販売又は使用する場合、１つのコンピュータの読取可能な記憶媒体に格納されてよい。上述に基づいて、本分野の当業者であれば、本願の実施形態が方法、システム、或いはコンピュータプログラム製品を提供してよいことを理解すべきである。従って、本願は、ハードウエア実施例、ソフトウエア実施例、或いはソフトウエアとハードウエアを結合する実施例の形式を採用してよい。また、本願は１つ或いは複数の、コンピュータプログラムコードを含んでいるコンピュータ記憶媒体により実施されるコンピュータプログラム製品という形を採用してよく、前記記憶媒体はＵＳＢ、モバイルハードディスク、リードオンリーメモリ（ＲＯＭ：Ｒｅａｄ−Ｏｎｌｙ  Ｍｅｍｏｒｙ）、ディスクストレージ、ＣＤ−ＲＯＭ、光学記憶装置などを含むが、それらに限らない。
【００８９】
本願は本願実施形態による方法、装置、及びコンピュータプログラム製品のフローチャート及び／又はブロック図を参照して説明される。コンピュータプログラム命令によってフローチャートの各プロセスおよび／ブロック、およびフローチャートおよび／ブロックのプロセスおよび／またはブロックの組み合わせを実現することができると理解すべきである。これらのコンピュータプログラム命令を汎用コンピュータ、専用コンピュータ、組み込みプロセッサまたは他のプログラム可能データ処理装置のプロセッサして１つのマシンを生成することができ、それによってコンピュータまたは他のプログラム可能データ処理装置のプロセッサで実行された命令によりフローチャートの１つのプロセスまたは複数のプロセスおよび／ブロック図における指定された機能を実現するための装置を生成する。
【００９０】
これらのコンピュータプログラム命令がコンピュータまたは他のプログラム可能データ処理装置が特定のモードで動作することをガイドすることができるコンピュータ可読メモリに記憶されることもでき、それによって、当該コンピュータ可読メモリに記憶された命令により命令装置が含まれる製造品を生成し、当該命令装置がフローチャートの１つ以上のプロセスおよび／またはブロック図の１つ以上のブロックにおける指定された機能を実現する。
【００９１】
これらのコンピュータプログラム命令がコンピュータまたは他のプログラム可能データ処理装置にロードされることができ、それによってコンピュータまたは他のプログラム可能データ処理装置で実行された命令によりフローチャートの１つ以上のプロセスおよび／またはブロック図の１つ以上のブロックにおける指定された機能を実現するためのステップを提供する。
【００９２】
対応的に、本発明の実施形態は、コンピュータ記憶媒体を提供し、前記コンピュータ記憶媒体は、本発明の方法実施形態に説明されたアンテナのモジュール化の実現方法を実行するための、コンピュータプログラムを格納している。
【００９３】
以上は、本発明の好適な実施例に過ぎず、本発明の保護範囲を限定するものではない。
【産業上の利用可能性】
【００９４】
本発明の実施形態が提供するアンテナのモジュール化の実現方法及び装置、アンテナモジュールによれば、アンテナの部品を区分し、区分された部品を採用してアンテナモジュールを組み合わせ、且つ前記アンテナモジュールのタイプを設定することによって、アンテナモジュールの設定可能を実現でき、ユーザが実際の応用の要求に応じてアンテナモジュールのタイプをアクティブアンテナモジュールと、パッシブアンテナモジュールと、アクティブ・パッシブ混合アンテナモジュールに設定する。このように、アンテナのモジュール化を実現し、アンテナのモジュール化はアクティブアンテナモジュールとパッシブアンテナモジュールをデカップリングさせるので、両者が各自の発展の方向にそれぞれ進化するようにする。従って、ネットワークのプラン、アップグレード或いは拡大に関する要求を満足できる。
【図１】
0006374019.tif 000002
【図２】
0006374019.tif 000003
【図３】
0006374019.tif 000004
【図４ａ】
0006374019.tif 000005
【図４ｂ】
0006374019.tif 000006
【図４ｃ】
0006374019.tif 000007
【図５】
0006374019.tif 000008
【図６ａ】
0006374019.tif 000009
【図６ｂ】
0006374019.tif 000010
【図６ｃ】
0006374019.tif 000011
【図７】
0006374019.tif 000012
【図８】
0006374019.tif 000013
【図９】
0006374019.tif 000014